(57)【要約】【課題】本発明は、ユーザがシュレッダー装置の待機消費電力の節電を積極的に行うことができるシュレッダー装置及びシュレッダー装置における状態切替方法を提供することを課題とする。【解決手段】本発明のシュレッダー装置１は、シュレッダー装置に内蔵され、細断物の細断を行うカッター部６と、シュレッダー装置１に設けられた、カッター部６へ連通し細断物を投入する投入口２付近に配され、投入口２における細断物の有無を検知し検知信号を発する投入口センサ１３と、検知信号を受けてカッター部６の駆動を制御する制御部５と、シュレッダー装置１全体が待機状態中に消費する待機消費電力量を低減させる節電状態に切り替える節電状態切替信号を発する節電スイッチ３ｂとを備えていることを特徴とする。【選択図】図２
2008055254.tif 000002
【特許請求の範囲】
【請求項１】
細断物の細断を行うシュレッダー装置において、
前記シュレッダー装置に内蔵され、細断物の細断を行う細断手段と、
前記シュレッダー装置に設けられた、前記細断手段へ連通し細断物を投入する投入口付近に配され、前記投入口における細断物の有無を検知し検知信号を発する検知手段と、
前記検知信号を受けて前記細断手段の駆動を制御する制御手段と、
前記シュレッダー装置全体が待機状態中に消費する待機消費電力量を低減させる節電状態に切り替える節電状態切替信号を発する節電状態切替手段とを備え、
前記制御手段は、
前記検知手段により前記投入口に細断物が有ると検知されると、前記細断手段の駆動を開始させ、前記シュレッダー装置を運転状態に切り替える処理を実行し、
前記検知手段により前記投入口に細断物が無いと検知されると、前記制御手段は、前記細断手段の駆動を停止させ、前記シュレッダー装置を待機状態に切り替える処理を実行するオートスタート・ストップ機能を有し、
前記制御手段は、
前記節電状態切替信号を受けて、前記シュレッダー装置を前記待機状態から節電状態へ切り替える処理を実行することを特徴とするシュレッダー装置。
【請求項２】
節電状態の節電パターンを複数有し
前記節電状態切替手段は、前記節電パターンを選択するための選択手段を更に有していることを特徴とする請求項１に記載のシュレッダー装置。
【請求項３】
前記節電パターンは、
オートストップ直後に前記シュレッダー装置を節電状態に切り替える節電パターンと、
前記細断手段による細断物の細断直後に前記シュレッダー装置を節電状態に切り替える節電パターンとを含んでいることを特徴とする請求項２に記載のシュレッダー装置。
【請求項４】
前記シュレッダー装置の前面に人感センサを更に有し、
前記制御手段は、前記人感センサが人の存在を感知せずに待機状態で一定時間経過した後又は待機状態となった直後に、節電状態に切り替える制御を実行することを特徴とする請求項１〜３の何れかに記載のシュレッダー装置。
【請求項５】
細断物の細断を行うシュレッダー装置の内蔵され、細断物の細断を行う細断手段と、
前記シュレッダー装置に設けられた、前記細断手段へ連通し細断物を投入する投入口付近に配され、前記投入口における細断物の有無を検知し検知信号を発する検知手段と、
前記検知信号を受けて前記細断手段の駆動を制御する制御手段と、
前記シュレッダー装置全体が待機状態中に消費する待機消費電力量を低減させる節電状態に切り替える節電状態切替信号を発する節電状態切替手段とを備えたシュレッダー装置が、
前記検知手段により前記投入口に細断物が有ると検知されると、前記細断手段の駆動を開始させ、前記シュレッダー装置を運転状態に切り替える処理を実行するステップと、
前記検知手段により前記投入口に細断物が無いと検知されると、前記制御手段は、前記細断手段の駆動を停止させ、前記シュレッダー装置を待機状態に切り替える処理を実行するステップと、
前記節電状態切替信号を受けて、前記シュレッダー装置を前記待機状態から節電状態へ切り替える処理を実行するステップとを行うことを特徴とするシュレッダー装置における状態切替方法。
【発明の詳細な説明】
【技術分野】
【０００１】
本発明は、紙類を細断するシュレッダー装置及びシュレッダー装置の状態を切り替える方法に関する。
【背景技術】
【０００２】
従来より、紙類及びメディア類の細断物を細断した後の待機電力量を低く又はゼロに抑える、スリープモード機能やセーブモード機能が付加されたシュレッダー装置がある。
【０００３】
スリープモードやセーブモードへの移行は、細断が終了し一定時間が経過した後、又は、シュレッダー装置の前に人を感知せずに一定時間が経過した後等メーカが設定した条件に基づき自動的に移行するものであった。
【特許文献１】特開２００５−７２４９号公報
【特許文献２】実用新案登録第３０９８８１８号公報
【発明の開示】
【発明が解決しようとする課題】
【０００４】
ところで、近年は、環境保全の観点から消費電力をセーブする意識が高まり、シュレッダー装置にもスリープモードを採用するものが増えてきた。シュレッダー装置が要する消費電力の大半を占める消費電力は、待機時間における消費電力である。シュレッダー装置の一日における平均的な待機時間は、２３．５時間程度であり、それに対し、シュレッダー装置が一日のうちで稼働している時間は０．５時間程度である。仮に、待機電力が５Ｗのシュレッダー装置が一日０．５時間稼働し、その他の２３．５時間待機しているとすると、待機時の消費電力だけで１１７（Ｗ／ｈ）となる。この消費電力を一年間分に置き換えると、約４２．７（ｋＷ／ｈ）もの大きな電力消費となる。
【０００５】
しかしながら、上述したように、従来のシュレッダー装置においては、ユーザの節電意識に応える更なる節電の余地はなく、ユーザは、メーカ側が定めた一方的な機能を使うだけであった。
【０００６】
つまり、待機電力量を節電するためのスリープモードやセーブモードに移行するには、メーカが定めた一定の時間を経過するまで、ユーザは積極的に節電を行うことができなかった。
【０００７】
そのため、細断終了後又はシュレッダー装置の前に人を感知せずに一定時間が経過した後からスリープモード又はセーブモードといった節電状態に移行するまでは待機電力量が無駄に消費されてしまっていた。
【０００８】
そこで、本発明は、これらの点に鑑みてなされたものであり、ユーザがシュレッダー装置の待機電力の節電を積極的に行うことができるシュレッダー装置及びシュレッダー装置における状態切替方法を提供することを課題とする。
【課題を解決するための手段】
【０００９】
本発明は上記事項に鑑みてなされたものであり、本発明は、細断物の細断を行うシュレッダー装置において、シュレッダー装置に内蔵され、細断物の細断を行う細断手段と、シュレッダー装置に設けられた、細断手段へ連通し細断物を投入する投入口付近に配され、投入口における細断物の有無を検知し検知信号を発する検知手段と、検知信号を受けて細断手段の駆動を制御する制御手段と、シュレッダー装置全体が待機状態中に消費する待機
消費電力量を低減させる節電状態に切り替える節電状態切替信号を発する節電状態切替手段とを備え、制御手段は、検知手段により投入口に細断物が有ると検知されると、細断手段の駆動を開始させ、シュレッダー装置を運転状態に切り替える処理を実行し、検知手段により投入口に細断物が無いと検知されると、制御手段は、細断手段の駆動を停止させ、シュレッダー装置を待機状態に切り替える処理を実行するオートスタート・ストップ機能を有し、制御手段は、節電状態切替信号を受けて、シュレッダー装置を前記待機状態から節電状態へ切り替える処理を実行することを特徴とする。
【００１０】
つまり、本発明に係る節電状態切替手段を設けたことにより、オートストップ機能によりシュレッダー装置が待機状態になったことを受けて、すぐに節電状態に移行させることができる。
【００１１】
これにより、従来のシュレッダー装置で無駄に消費されていた、オートストップ後の待機電力量を低減させることができる。
【００１２】
また、本発明のシュレッダー装置は、節電状態の節電パターンを複数有し、節電状態切替手段は、節電パターンを選択するための選択手段を更に有した構成としてもよい。選択手段は、例えば、選択パターン毎に設けられた電気的なボタン又はスイッチや、節電パターン毎に切り替えるダイアル式のスイッチ等とすることができる。
【００１３】
また、節電パターンとしては、オートストップ直後に前記シュレッダー装置を節電状態に切り替える節電パターンと、細断手段による細断物の細断直後にシュレッダー装置を節電状態に切り替える節電パターンとを例示できる。
【００１４】
さらに、本発明のシュレッダー装置は、前面に人感センサを更に有し、制御手段は、人感センサが人の存在を感知せずに待機状態で一定時間経過した後又は待機状態となった直後に、節電状態に切り替える制御を実行するようにしてもよい。
【００１５】
つまり、人感センサを設けたことにより、人がいなくなったことが細断終了の合図となり、シュレッダー装置の運転状態を待機状態に移行する。そして、本発明では、節電状態切替手段により、待機状態に移行したことを受けて節電状態へと移行させる。これにより、待機状態を極力短くすることができ、それにともない待機電力量を低減させることができる。
【００１６】
また、本発明は、細断物の細断を行うシュレッダー装置の内蔵され、細断物の細断を行う細断手段と、前記シュレッダー装置に設けられた、前記細断手段へ連通し細断物を投入する投入口付近に配され、前記投入口における細断物の有無を検知し検知信号を発する検知手段と、前記検知信号を受けて前記細断手段の駆動を制御する制御手段と、前記シュレッダー装置全体が待機状態中に消費する待機消費電力量を低減させる節電状態に切り替える節電状態切替信号を発する節電状態切替手段とを備えたシュレッダー装置が、前記検知手段により前記投入口に細断物が有ると検知されると、前記細断手段の駆動を開始させ、前記シュレッダー装置を運転状態に切り替える処理を実行するステップと、前記検知手段により前記投入口に細断物が無いと検知されると、前記制御手段は、前記細断手段の駆動を停止させ、前記シュレッダー装置を待機状態に切り替える処理を実行するステップと、前記節電状態切替信号を受けて、前記シュレッダー装置を前記待機状態から節電状態へ切り替える処理を実行するステップとを行うことを特徴とするシュレッダー装置における状態切替方法である。
【発明の効果】
【００１７】
本発明によれば、ユーザがシュレッダー装置の待機状態における消費電力を節電するこ
とを積極的に行うことができるシュレッダー装置及びシュレッダー装置における状態切替方法を提供することが可能となる。
【発明を実施するための最良の形態】
【００１８】
以下、本実施例のシュレッダー装置及びシュレッダー装置における状態切替方法について説明する。
【００１９】
＜実施例１＞
図１に本実施例のシュレッダー装置１の外観図を示す。シュレッダー装置１は、紙片や書類等の細断物を投入する投入口２と、シュレッダー装置１の動作に関する各種操作を行うための操作部３とを有している。尚、本実施例のシュレッダー装置１における細断方法や細断物を細断する構成は既存のものと同様であるとし、詳細な説明は省略する。
【００２０】
図２に本実施例のシュレッダー装置１の制御系統のブロック図を示す。シュレッダー装置１は、装置１全体に電源を供給している電源部４と、装置全体の制御を司る制御部５と、制御部５からの指令に基づき、細断物を細断するカッター部６を駆動させるモータ７の駆動制御を行うモータＯＮ／ＯＦＦ回路８とを備えている。
【００２１】
さらに、シュレッダー装置１は、電源部４からの電力をモータＯＮ／ＯＦＦ回路８に供給するか否かをスイッチングする電源スイッチ９と、制御部５への電力供給を制御する制御電源ＯＮ／ＯＦＦ部１０とを更に備えている。
【００２２】
また、シュレッダー装置１は、各種動作を行うためのセンサ部１１を備えている。センサ部１１には、シュレッダー装置１の近傍に人の存在があるか無いかを感知する人感センサ１２と、細断物を投入する投入口２に設けられ、投入口２に細断物があるか否かを検知する投入口センサ１３と、装置１内部に設置され、細断した細断物の屑を溜め置く容器が一杯であることを検知するくず満杯センサ１４と、シュレッダー装置１内部に通じる扉の開閉状態を検知するとびらセンサ１５等が含まれている。これらのセンサによる検知結果に基づき、制御部５が各種処理を行う。尚、制御部５はタイマーＴを有しており、処理の内容に応じて、タイマーＴにより時間をカウントする。
【００２３】
また、シュレッダー装置１は、操作部３として、表示ランプ３ａ，節電スイッチ３ｂ，オートスタートスイッチ３ｃ，停止スイッチ３ｄ，逆転スイッチ３ｅを有している。
【００２４】
表示ランプ３ａは、各センサ類による検知結果を報知するものであり、装置１の状態を示す役割を果たす。くず満杯センサ１４がくずが満杯であると検知するとそれを報知するための表示ランプ３ａが点灯し、とびらセンサ１５がシュレッダー装置１の前面に設けられた扉が開いていると検知するとそれを報知するための表示ランプ３ａが点灯する。また、シュレッダー装置１の内部（制御部５やモータ７等）が一定の温度以上となると、それを報知する表示ランプ３ａが点灯し、節電スイッチ３ｂが押下され節電が優先されることを報知する表示ランプ３ａが点灯する。
【００２５】
節電スイッチ３ｂは、節電状態に設定する際に押下される。節電スイッチ３ｂは、図１に示すように、節電状態（以下スリープ状態と称す）への切替設定を固定的に行うオルタネート型のスイッチ又は節電状態への切替を電気的な制御によりホールド回路で制御内容を設定するモーメンタリー型のスイッチとすることができる。
【００２６】
また、オートスタートスイッチ３ｃは、投入口センサ１３が投入口に細断物があると検知したことを受けてカッター部６の駆動を開始し（オートスタート）、細断物がないと検知したことを受けてカッター部６の駆動を停止し装置１全体を待機状態にする（オートス
トップ）設定を行うためのスイッチである。
【００２７】
さらに、停止スイッチ３ｄは、細断運転を停止させるためのスイッチであり、逆転スイッチ３ｅは、細断物が詰まってしまった時等の細断物の排出のためにカッター部６の回転を逆回転させるためのスイッチである。
以上が、本実施例のシュレッダー装置１の構成である。
【００２８】
次に、シュレッダー装置１によるシュレッダー装置１における状態切替方法について説明する。図３（ａ）に、従来のシュレッダー装置におけるスリープモードへの移行状態を示す図を示し、図３（ｂ）〜（ｅ）に、本実施例のシュレッダー装置１におけるスリープ状態への移行状態を示す図を示す。
【００２９】
まず、本実施例のシュレッダー装置１の移行内容との違いを明らかにするために、図３（ａ）に基づき、従来のシュレッダー装置における節電状態への移行について説明する。尚、本説明における従来のシュレッダー装置は、本実施例のオートスタートスイッチと同様のスイッチを有しているものとして説明する。
【００３０】
まず、シュレッダー装置がスリープ状態であることを前提とし、スリープ状態を解除するための、スリープ復帰信号がオンとなる。スリープ状態を解除するためには、操作部の何れかのスイッチを押下する操作を行うようにする。スリープ復帰信号を受けて、制御部は、シュレッダー装置を待機状態とする。尚、本説明における「待機状態」とは、制御部の電源がＯＮとなり、操作部が操作されると直ぐにその操作に伴った処理を行うことができる状態を意味し、「スリープ状態」とは、制御部の電源がＯＦＦとなり、消費電力量が最も低い状態になっている状態を意味している。因みに、「スリープ状態」が解除されると「待機状態」に移行する。
【００３１】
そして、細断物が投入口２に投入されて細断が開始されて細断が終わると、シュレッダー装置に内蔵されているタイマーにより、一定時間がカウントされる。尚、この一定時間は製造メーカ側で予め設定されたものとなる。
【００３２】
タイマーにより一定時間がカウントされると、その時点で、オートストップ機能がＯＮの状態になる。オートストップ機能がＯＮとなった場合、消費電力量は、モータやカッター部の駆動が行われていないため、起動状態のときよりは少なくはなるが、スリープ状態の消費電力量よりは多い。
【００３３】
そして、タイマーが更に所定時間をカウントすると、そこではじめてスリープ状態となる。尚、この一定時間は製造メーカ側で予め設定されたものとなる。つまり、従来のシュレッダー装置は、スリープ状態となるまでに製造メーカが設定した所用の時間を要することになる。
【００３４】
次に、本実施例のシュレッダー装置１におけるスリープモードへの移行について説明する。本説明では、節電スイッチ３ｂを、オルタネート型とした場合とモーメンタリー型とした場合とに分けて説明する。
【００３５】
＜オルタネート型のスイッチの場合＞
節電スイッチ３ｂをオルタネート型とした場合は、節電スイッチ３ｂを操作するタイミングは、シュレッダー装置１の電源投入前，細断前，細断中の何れかのタイミングで行う。
図３（ｂ）に示すように、シュレッダー装置１がスリープ状態のときにオルタネート型の節電スイッチ３ｂを押下し節電モードを設定する。そして、操作部３の何れかのスイッ
チを押下する操作によりスリープ復帰信号を受けてスリープ状態が解除される。つまり、このときの制御部５は電源がＯＮとなっている。
【００３６】
次に、オートスタートスイッチ３ｃをＯＮの状態とし人感センサ１２とタイマーＴを機能させる。そして、細断物が投入されて細断が開始された後、人がシュレッダー装置１から離れると、人感センサ１２が反応（人がシュレッダー装置１の近くにいないということを検知）するとともに内蔵されているタイマーＴにより、一定時間がカウントされる。
【００３７】
タイマーＴにより一定時間がカウントされると、その時点で、オートストップ機能がＯＮの状態になる。オートストップ機能がＯＮの状態は、所謂待機状態であり、モータ７やカッター部６の駆動が行われていないため消費電力量は低くはなるが、制御部５に電源が入っているため、スリープ状態の消費電力量よりは多い。
【００３８】
そして、タイマーＴが、予め設定した時間ｔ１（例えば０秒〜５秒）をカウントした後スリープ状態となる。つまり、本実施例のシュレッダー装置１によれば、ユーザが任意に設定した時間（ｔ１）後すぐにスリープ状態となることができる。尚、ｔ１は、極力短時間であることが望ましい。ｔ１を短時間に設定することにより、待機状態が短くなり、いち早くスリープ状態に移行させることができる。
【００３９】
これにより、待機状態を最短とすることができ、待機時間に要する消費電力を極力少なくすることができる。
【００４０】
＜モーメンタリー型のスイッチの場合＞
次に、節電スイッチ３ｂがモーメンタリー型の節電スイッチの場合について説明する。節電スイッチ３ｂをモーメンタリー型とした場合は、節電スイッチ３ｂを操作するタイミングにより、スリープ状態への移行の仕方が変わってくるため、以下節電スイッチ３ｂを操作するタイミングに分けて説明する。尚、以下の説明では、オートスタートスイッチ３ｃが押下され、オートスタート／オートストップ機能が設定されていることを前提とする。
【００４１】
（１）オートスタートの待機中（待機状態）に節電スイッチ３ｂが押下される場合
図３（ｃ）に示すように、まず、シュレッダー装置１がスリープ状態のときに、操作部３の何れかのスイッチを押下する操作してスリープ復帰信号を発生させ、スリープ状態を解除する。これにより、シュレッダー装置１は待機状態となる。
【００４２】
次に、オートスタートスイッチ３ｃをＯＮの状態とし、投入口センサ１３とタイマーＴを機能させる。そして、細断物が投入されて細断が開始され、細断が終了したときに節電スイッチ３ｂを押下する。すると、シュレッダー装置１は直ちにスリープ状態になる。尚、ここでの「細断が終了したとき」とは、オートストップが機能していない状態のことであり、完全な待機状態に移行する前の状態である。
【００４３】
このように、オートスタートの待機中に節電スイッチ３ｂを押下することにより、使用者の意思により、シュレッダー装置１の待機状態を迅速に節電状態に移行させることができる。その結果、待機状態が短くなり、それに伴い効果的に節電を行うことができる。
【００４４】
（２）オートストップ後の待機状態中に節電スイッチ３ｂが押下される場合
図３（ｄ）に示すように、まず、シュレッダー装置１がスリープ状態のときに、操作部３の何れかのスイッチを押下する操作してスリープ復帰信号を発生させ、スリープ状態を解除する。これにより、シュレッダー装置１は待機状態となる。
【００４５】
次に、オートスタートスイッチ３ｃをＯＮの状態とし投入口センサ１３とタイマーＴを機能させる。そして、細断物が投入されて細断が開始された後、投入口センサ１３により細断物の存在が無いと検知されたことを受けて、オートストップ機能が作動しシュレッダー装置１は待機状態に移行する。
【００４６】
このときに、節電スイッチ３ｂを押下すると、シュレッダー装置１は直ちにスリープ状態になる。
【００４７】
この節電パターンは、シュレッダー装置１を使用する人が複数並んで順番待ちをしている時に有効である。つまり、先頭の人が細断を終えても直ぐにはスリープ状態に移行することがないため、複数の使用者がスムーズに順次細断を行うことができる。
【００４８】
（３）細断中に節電スイッチ３ｂが押下される場合
図３（ｅ）に示すように、まず、シュレッダー装置１がスリープ状態のときに、操作部３の何れかのスイッチを押下する操作してスリープ復帰信号を発生させ、スリープ状態を解除する。これにより、シュレッダー装置１は待機状態となる。
【００４９】
次に、オートスタートスイッチ３ｃをＯＮの状態とし投入口センサ１３とタイマーＴを機能させる。投入口センサ１３が細断物が投入口にあると検知すると、制御部５は、モータＯＮ／ＯＦＦ回路８をＯＮにし、モータ７を駆動させカッター部６を作動させ、細断を開始する。
【００５０】
そして、このとき（即ち細断物の細断中に）節電スイッチ３ｂが押下されると、細断が完了した後にタイマーＴがｔ１をカウントする。タイマーＴのカウントがｔ１を満たすと、スリープ状態となる。尚、このｔ１は、上記したｔ１と同様に、ユーザが任意に設定することができる。そのため、この設定時間が短ければ短いほど節電量が大きくなる。
【００５１】
以上のように、本実施例のシュレッダー装置１によれば、節電スイッチを操作することにより、シュレッダー装置の待機時間を短くし迅速にスリープ状態に移行させることができる。これにより、待機時間に要する消費電力を極力減少させることができる。
【００５２】
＜実施例２＞
また、本実例のシュレッダー装置１は、節電スイッチ３ｂが、節電パターンを選択するための選択手段を兼ね備えている。尚、実施例１のシュレッダー装置１と同じ構成には同符号を付し詳細な説明を簡略化する。
【００５３】
本実施例のシュレッダー装置１は、シュレッダー装置１がスリープ状態（節電状態）に移行する節電パターンが予め設定されている。節電パターンとしては、例えば、待機状態に移行することなくスリープ状態に移行するパターン、待機状態を例えば３秒経過した後にスリープ状態に移行するパターン、オートストップ直後にスリープ状態に移行するパターン等を挙げることができる。
【００５４】
そして、これらの節電パターンは、節電スイッチ３ｂの操作により選択することができる。節電スイッチ３ｂがオルタネート型のスイッチの場合、節電パターンに番号を付し、その番号を選択番号としたダイアル式や、多段式押しボタンや、多段式スライド式のスイッチ等とすることができる。
【００５５】
また、節電スイッチ３ｂがモーメンタリー型のスイッチの場合、節電スイッチ３ｂを押す回数によって節電パターンを切り替えるようにする。例えば、節電スイッチ３ｂ一回押下すると節電パターン１を選択したことになり、操作部を三回押下すると節電パターン３
を選択したこととなる。尚、これに加えて、節電パターン毎の表示ランプを設け、選択された節電パターンの表示ランプを点灯させるようにして、視認し易くする構成としてもよい。
【００５６】
このように、本実施例のシュレッダー装置１によれば、使用者によって節電パターンを選択することができるため、使用環境や使用状況に応じた節電を積極的に行うことが可能となる。
【図面の簡単な説明】
【００５７】
【図１】実施例１のシュレッダー装置の概要図である。
【図２】実施例１のシュレッダー装置のブロック図である。
【図３】実施例１のシュレッダー装置によるスリープ状態への移行状態を示した図である。
【符号の説明】
【００５８】
１  シュレッダー装置
２  投入口
３  操作部
３ａ  表示ランプ
３ｂ  節電スイッチ（節電状態切替手段、選択手段）
３ｃ  オートスタートスイッチ
３ｄ  停止スイッチ
３ｅ  逆転スイッチ
４  電源部
５  制御部（制御手段）
６  カッター部（細断手段）
７  モータ
８  モータＯＮ／ＯＦＦ回路
９  電源スイッチ
１０  制御電源ＯＮ／ＯＦＦ部
１１  センサ部
１２  人感センサ
１３  投入口センサ（検知手段）
１４  満杯センサ
１５  とびらセンサ
Ｔ  タイマー
【図１】
2008055254.tif 000003
【図２】
2008055254.tif 000004
【図３】
2008055254.tif 000005